(57)【要約】【課題】必要十分な給電能力を確保しつつ効率の低下や省エネ化を図る。【解決手段】給電部11が１つの電力生成部のみで構成された場合、必要十分な給電能力を確保しようとすると、消費電力が相対的に少ないときの電力生成部の効率が低下したり、電力生成部の消費電力が相対的に大きくなって省エネ化が困難になってしまう。これに対して住戸機全体の消費電力(消費電流)が増加するに従って、制御部10が同時に動作させる電力生成部110〜112の台数を増やしている。つまり、給電部11の給電能力を住戸機全体の消費電力に見合ったレベルに動的に変更することにより、１つの電力生成部で対応する場合と比較して、必要十分な給電能力を確保しつつ効率の低下や省エネ化を図ることができる。【選択図】        図１
2014138391.tif 000002
【特許請求の範囲】
【請求項１】
集合住宅の共用玄関に設置される共用玄関機と、前記集合住宅の各住戸に設置されて前記共用玄関機と線路を介して接続される複数の住戸機とを有する集合住宅用インターホンシステムに用いられ、
前記住戸機に供給するための電力を生成する複数の電力生成部と、前記各電力生成部の動作を各別に制御する制御部とを備え、
前記制御部は、前記集合住宅用インターホンシステムにおける前記住戸機全体の消費電力に応じて、同時に動作させる前記電力生成部の台数を変更することを特徴とする給電装置。
【請求項２】
前記制御部は、前記線路に流れる電流を計測し、前記計測値が増加するに従って、同時に動作させる前記電力生成部の台数を増やすことを特徴とする請求項１記載の給電装置。
【請求項３】
前記制御部は、前記各住戸機の稼働状態を判断し、稼働している前記住戸機の台数が増加するに従って、同時に動作させる前記電力生成部の台数を増やすことを特徴とする請求項１記載の給電装置。
【請求項４】
前記各電力生成部の入力端及び出力端にそれぞれスイッチ要素が接続され、前記制御部は、前記各スイッチ要素を各別にオン・オフ制御することを特徴とする請求項１〜３の何れか１項に記載の給電装置。
【請求項５】
前記線路は電力供給用の給電路と通信用の通信路を含み、前記各電力生成部の出力端が前記給電路に接続されることを特徴とする請求項１〜４の何れか１項に記載の給電装置。
【請求項６】
前記電力生成部は、前記線路に伝送される通信信号に前記電力を重畳して給電することを特徴とする請求項１〜４の何れか１項に記載の給電装置。
【請求項７】
集合住宅の共用玄関に設置される共用玄関機と、前記集合住宅の各住戸に設置されて前記共用玄関機と線路を介して接続される複数の住戸機と、請求項１〜５の何れかの給電装置とを有することを特徴とする集合住宅用インターホンシステム。
【請求項８】
前記給電装置が前記共用玄関機と一体に構成されることを特徴とする請求項７記載の集合住宅用インターホンシステム。
【発明の詳細な説明】
【技術分野】
【０００１】
本発明は、集合住宅用インターホンシステムを構成する住戸機に給電する給電装置、及びそれを用いた集合住宅用インターホンシステムに関する。
【背景技術】
【０００２】
従来例として、特許文献１記載の集合住宅用ドアホンカメラシステムを例示する。この従来例は、集合住宅の入口に設置される室外器と、集合住宅の各世帯にそれぞれ設置される複数の室内器と、室外器と各室内器を接続する通信線と、通信線を介して各室内器に直流電力を供給する電力供給器(給電装置)とを備える。つまり、各世帯(住戸)に設置される室内器は、通信線を介して電力供給器から給電されるため、各住戸において、室内器に給電するための専用の電気配線が不要となり、施工が容易になるという利点がある。
【０００３】
ここで、室内器(住戸機)には電力供給器(給電装置)から給電される型式の他に、各住戸の住宅盤を通じて電力系統から給電する型式のものも存在する。前者をセンタ給電型と呼び、後者をローカル給電型と呼ぶことにする。つまり、給電装置は、センタ給電型の住戸機に給電する役割を担っている。
【先行技術文献】
【特許文献】
【０００４】
【特許文献１】特開昭６３−６７０８８号公報
【発明の概要】
【発明が解決しようとする課題】
【０００５】
ところで、センタ給電型の住戸機とローカル給電型の住戸機を同じシステム内に混在させることも可能である。この場合、給電装置は、全ての住戸機がセンタ給電型である場合に必要な最大の給電量(電力量)を供給可能であることが必要となる。しかしながら、実際に最大の給電量まで供給することは希であり、給電装置が過剰品質となってしまう虞があった。また、給電量が少ないときに給電装置の効率が低下してしまい、省エネ化が図り難いという問題もあった。
【０００６】
本発明は、上記課題に鑑みて為されたものであり、必要十分な給電能力を確保しつつ効率の低下や省エネ化を図ることを目的とする。
【課題を解決するための手段】
【０００７】
本発明の給電装置は、集合住宅の共用玄関に設置される共用玄関機と、前記集合住宅の各住戸に設置されて前記共用玄関機と線路を介して接続される複数の住戸機とを有する集合住宅用インターホンシステムに用いられ、前記住戸機に供給するための電力を生成する複数の電力生成部と、前記各電力生成部の動作を各別に制御する制御部とを備え、前記制御部は、前記集合住宅用インターホンシステムにおける前記住戸機全体の消費電力に応じて、同時に動作させる前記電力生成部の台数を変更することを特徴とする。
【０００８】
この給電装置において、前記制御部は、前記線路に流れる電流を計測し、前記計測値が増加するに従って、同時に動作させる前記電力生成部の台数を増やすことが好ましい。
【０００９】
この給電装置において、前記制御部は、前記各住戸機の稼働状態を判断し、稼働している前記住戸機の台数が増加するに従って、同時に動作させる前記電力生成部の台数を増やすことが好ましい。
【００１０】
この給電装置において、前記各電力生成部の入力端及び出力端にそれぞれスイッチ要素が接続され、前記制御部は、前記各スイッチ要素を各別にオン・オフ制御することが好ましい。
【００１１】
この給電装置において、前記線路は電力供給用の給電路と通信用の通信路を含み、前記各電力生成部の出力端が前記給電路に接続されることが好ましい。
【００１２】
この給電装置において、前記電力生成部は、前記線路に伝送される通信信号に前記電力を重畳して給電することが好ましい。
【００１３】
本発明の集合住宅用インターホンシステムは、集合住宅の共用玄関に設置される共用玄関機と、前記集合住宅の各住戸に設置されて前記共用玄関機と線路を介して接続される複数の住戸機と、前記給電装置とを有することを特徴とする。
【００１４】
この集合住宅用インターホンシステムにおいて、前記給電装置が前記共用玄関機と一体に構成されることが好ましい。
【発明の効果】
【００１５】
本発明の給電装置及び集合住宅用インターホンシステムは、住戸機全体の消費電力が増加するに従って、制御部が同時に動作させる電力生成部の台数を増やすので、給電装置の給電能力を住戸機全体の消費電力に見合ったレベルに動的に変更することにより、１つの電力生成部で対応する場合と比較して、必要十分な給電能力を確保しつつ効率の低下や省エネ化を図ることができるという効果がある。
【図面の簡単な説明】
【００１６】
【図１】本発明に係る給電装置の実施形態１を示す一部省略したブロック図である。
【図２】本発明に係る集合住宅用インターホンシステムの実施形態１を示すシステム構成図である。
【図３】同上におけるロビーインターホン親機のブロック図である。
【図４】同上における住戸機のブロック図である。
【図５】本発明に係る集合住宅用インターホンシステム及び給電装置の実施形態２の動作を説明するためのシーケンス図である。
【図６】同上の別の動作を説明するためのシーケンス図である。
【発明を実施するための形態】
【００１７】
以下、本発明に係る給電装置及びそれを用いた集合住宅用インターホンシステムの実施形態について、図面を参照して詳細に説明する。
【００１８】
(実施形態１)
図２に本実施形態の集合住宅用インターホンシステム(住宅情報盤システム)のシステム構成図を示す。このシステムは、集合住宅の共用玄関に設置される共用玄関機(ロビーインターホン親機１)と、集合住宅の各住戸に設置されてロビーインターホン親機１と線路(幹線ケーブルLX)を介して接続される複数の住戸機(住宅情報盤)２とを有する。
【００１９】
幹線ケーブルLXは、制御信号を伝送するための制御線LX1と、音声信号及び映像信号を伝送するための通信線(通信路)LX2と、給電用の電源線(給電路)LX3とを有している。
【００２０】
幹線ケーブルLX1には分岐器４が挿入されており、分岐器４で分岐された住戸ケーブルLYが住戸機２に接続されている。なお、住戸ケーブルLXは、幹線ケーブルLX1の制御線LX1から分岐される制御線LY1と、幹線ケーブルLX1の通信線LX2から分岐される通信線LY2と、幹線ケーブルLX1の電源線LX3から分岐される電源線LY3とを有している。
【００２１】
ロビーインターホン親機１は、図３に示すように制御部10、給電部11、通信部12、音声入出力部13、撮像部14、入力受付部15、電源部16などを備える。
【００２２】
音声入出力部13は、マイクロホン(図示せず)から出力されるアナログの音声信号をディジタルの音声信号(送話音声データ)に変換して制御部10に渡す。また、音声入出力部13は、制御部10から受け取るディジタルの音声信号(受話音声データ)をアナログの音声信号に変換するとともに、アナログの音声信号をスピーカ(図示せず)に出力することでスピーカに受話音声を鳴動させる。
【００２３】
撮像部14は、ＣＭＯＳイメージセンサなどの撮像素子、撮像素子に光を集光するレンズなどの光学系、撮像素子から出力される映像信号をディジタルの映像データに変換する映像処理回路などで構成される。そして、映像データは撮像部14から制御部10に渡される。
【００２４】
入力受付部15は、テンキースイッチや押釦スイッチなどの入力デバイスを有し、入力デバイスが操作されることで種々の操作入力を受け付けるとともに、それぞれの操作入力に応じた操作信号を制御部10に出力する。制御部10は、CPUやメモリなどのハードウェアと、CPUで実行される種々のプログラム(ソフトウェア)とで構成される。例えば、何れかの住戸の住戸番号がテンキースイッチによって押操作されると、入力受付部15が前記住戸番号の操作入力を受け付けて住戸番号入力の操作信号を出力する。制御部10では、入力受付部15から住戸番号入力の操作信号を受け取ると、当該住戸の住戸機２を呼び出すための制御データを生成する。そして、制御部10で生成された制御データを含む制御信号(後述する)が、通信部12から通信線LX2を介して前記住戸機２に宛てて送信される。
【００２５】
また、給電部11は、図１に示すように住戸機２に供給するための電力(直流電力)を生成する複数(図示例では３台)の電力生成部110〜112並びに複数のスイッチ要素113〜118で構成される。すなわち、本実施形態においては、制御部10と給電部11とで給電装置が構成されており、給電装置が共用玄関機であるロビーインターホン親機１と一体に構成されている。
【００２６】
各電力生成部110〜112は、外部電源(商用の交流電源６)から供給される交流電圧・電流を直流電圧・電流に変換するＡＣ／ＤＣコンバータからなり、電力線LPを介して交流電源６に並列接続されている。また、電力生成部110〜112の入力側にそれぞれスイッチ要素116〜118が接続されており、スイッチ要素116〜118が閉じている場合にのみ、各電力生成部110〜112が動作する。さらに、電力生成部110〜112の出力側にそれぞれスイッチ要素113〜115が接続されており、スイッチ要素113〜115が閉じている場合にのみ、電力生成部110〜112から電源線LX3を介して各住戸機２に直流電力が供給可能となる。ただし、これらのスイッチ要素113〜118は、制御部10によって開閉(オン・オフ)される。
【００２７】
通信部12は、制御部10で生成される制御データを含むパケット(制御パケット)を作成し、同じく制御部10から渡される映像データ及び音声データ(送話音声データ)を含むパケット(映像パケット及び音声パケット)を作成する。さらに通信部12は、制御パケットや映像パケット、音声パケットを符号化するとともに符号化されたビット列を電気信号(制御信号、映像信号、音声信号)に変換(変調)し、制御線LX1及び通信線LX2に流す。なお、通信部12は、制御信号を制御線LX1に流し、映像信号と音声信号を通信線LX2に流す。
【００２８】
また通信部12は、制御線LX1及び通信線LX2に流れる電気信号をビット列に変換(復調)するとともに復調されたビット列からパケット(制御パケット及び音声パケット)を復号化する。ただし、通信部12は、復号化したパケットの宛先アドレスが自己のアドレスに一致しない場合は当該パケットを破棄し、一致する場合は当該パケットのデータフィールドに含まれるデータ(制御データ及び音声データ)を復号化して制御部10に渡す。
【００２９】
電源部16は、交流電源６から供給される交流電圧・電流を直流電圧・電流に変換して各部10，12〜15に供給する。
【００３０】
ここで、集合住宅に複数の共用玄関が存在する場合、ロビーインターホン親機１が設置された共用玄関と異なる別の共用玄関にロビーインターホン副親機５が設置される。このロビーインターホン副親機５は、ロビーインターホン親機１と共通の構成を有しており、制御線LW1と通信線LW2と給電線LW3からなる増設ケーブルLWを介してロビーインターホン親機１に接続される(図２参照)。ただし、増設ケーブルLWの各線(制御線LW1、通信線LW2、給電線LW3)は、ロビーインターホン親機１において、幹線ケーブルLXの各線(制御線LX1、通信線LX2、給電線LX3)と接続される。
【００３１】
住戸機２は、図４に示すように住戸機制御部20、受電部21、通信部22、音声入出力部23、映像表示部24、入力受付部25、ドアホン通信部26などを備える。
【００３２】
音声入出力部23は、マイクロホン(図示せず)から出力されるアナログの音声信号をディジタルの音声信号(送話音声データ)に変換して住戸機制御部20に渡す。また、音声入出力部23は、住戸機制御部20から受け取るディジタルの音声信号(受話音声データ)をアナログの音声信号に変換するとともに、アナログの音声信号をスピーカ(図示せず)に出力することでスピーカに受話音声を鳴動させる。
【００３３】
映像表示部24は液晶ディスプレイや有機ＥＬディスプレイなどの表示デバイスと、表示デバイスを駆動して映像を表示させる駆動回路とを有する(何れも図示せず)。
【００３４】
住戸機制御部20は、CPUやメモリなどのハードウェアと、CPUで実行される種々のプログラム(ソフトウェア)とで構成される。入力受付部25は、タッチパネルや押釦スイッチなどの入力デバイスを有し、入力デバイスが操作されることで種々の操作入力を受け付けるとともに、それぞれの操作入力に応じた操作信号を住戸機制御部20に出力する。例えば、押釦スイッチからなる応答釦が押操作されると、入力受付部25で操作入力が受け付けられて応答の操作信号が出力される。住戸機制御部20では、入力受付部25から応答の操作信号が入力されると、ロビーインターホン親機１からの呼出に応答するための制御データを生成する。そして、住戸機制御部20で生成された制御データを含む制御信号が、通信部22から通信線LY2を介してロビーインターホン親機１に宛てて送信される。
【００３５】
通信部22は、住戸機制御部20で作成される制御データを含むパケット(制御パケット)を作成し、同じく住戸機制御部20から渡される音声データ(送話音声データ)を含むパケット(音声パケット)を作成する。さらに通信部22は、制御パケットや音声パケットを符号化するとともに符号化されたビット列を電気信号(制御信号、音声信号)に変換(変調)し、制御線LY1及び通信線LY2に流す。なお、通信部22は、制御信号を制御線LY1に流し、音声信号を通信線LY2に流す。
【００３６】
また通信部22は、制御線LY1及び通信線LY2に流れる電気信号をビット列に変換(復調)するとともに復調されたビット列からパケット(制御パケット及び映像パケット、音声パケット)を復号化する。ただし、通信部22は、復号化したパケットの宛先アドレスが自己のアドレスに一致しない場合は当該パケットを破棄し、一致する場合は当該パケットのデータフィールドに含まれるデータ(制御データ及び映像データ、音声データ)を復号化して住戸機制御部20に渡す。
【００３７】
受電部21は、給電線LY3を介して供給される電力(直流電力)を電力変換(直流−直流変換)して各部20，22〜26に動作用の電力を供給する。
【００３８】
ドアホン通信部26は、各住戸の外玄関に設置されるドアホン子機３と通信ケーブルLZを介して接続される。ドアホン子機３は従来周知であって、来訪者が操作する呼出釦や来訪者を撮影するための撮像素子、来訪者と通話するためのマイクロホン及びスピーカなどを備える。つまり、来訪者が呼出釦を操作すると通信ケーブルLZを介して呼出信号が送信され、ドアホン通信部26において呼出信号が受信される。また、ドアホン子機３のマイクロホンで集音された来訪者の音声、並びに撮像素子で撮像された映像が通信ケーブルLZを介してドアホン通信部26で受信される。さらに、住戸機制御部20から出力される音声データがアナログの音声信号に変換されてドアホン通信部26から通信ケーブルLZを介してドアホン子機３に送信される。その結果、住戸機２とドアホン子機３との間で通話(ドアホン通話)を行うことができる。ただし、住戸機２とドアホン子機３との間のドアホン通話については、従来周知であるから詳細な説明を省略する。なお、ドアホン子機３に対しては、住戸機２から通信ケーブルLZを介して電力が供給される。
【００３９】
ところで、本実施形態における住戸機２は、ロビーインターホン親機１(又はロビーインターホン副親機５)との通話(インターホン通話)及びドアホン通話における映像及び音声を記録(録画及び録音)するとともに、記憶した映像及び音声を再生する機能を有している。つまり、住戸機制御部20は、録画・録音モードに設定された場合、通信部22及び音声入手力部23、ドアホン通信部26から受け取る音声データ並びに映像データを圧縮して作成したデータファイルをメモリ(不揮発性の半導体メモリ)に記憶する。また、住戸機制御部20は、再生モードに設定された場合、メモリに記憶しているデータファイルを読み出すとともに当該データファイルのデータを伸長して元の音声データ及び映像データを取得する。そして、住戸機制御部20は、取得した音声データを音声入出力部23に出力してスピーカから音声(録音された音声)を鳴動させるとともに、取得した映像データを映像表示部24に出力して映像(録画された映像)を表示デバイスに表示させる。ただし、録画・録音モード及び再生モードの設定及び解除は、入力受付部25で受け付ける操作信号に応じて住戸機制御部20が行う。
【００４０】
ここで、ロビーインターホン親機１と同時にインターホン通話できる住戸機２の台数は１台のみであるが、インターホン通話していない１乃至複数台の住戸機２がドアホン通話や録画・録音あるいは録画・録音されたデータファイルの再生を同時に行う場合がある。そして、複数台の住戸機２が同時にインターホン通話やドアホン通話などの処理を実行した場合、集合住宅用インターホンシステムにおける住戸機全体の消費電力が増加するので、給電装置(ロビーインターホン親機１)から供給する電力量を増やす必要がある。一方、何れの住戸機２も待機状態(各種通話及び録画・再生などの処理を実行していない状態)に有る場合、集合住宅用インターホンシステムにおける消費電力がほぼ最小となるので、給電装置から供給する電力量も必要最低限で構わない。
【００４１】
そこで本実施形態では、制御部10が電源線LX3に流れる電流を計測し、計測値(電流値)が増加するに従って、同時に動作させる電力生成部110〜112の台数を増やすようにしている。例えば、制御部10は、各電力生成部110〜112の出力電圧を一定と仮定し、電源線LX3に流れる電流の大きさ(電流値)を電流センサ(図示せず)で計測する。そして、制御部10は、電流値が第１しきい値未満であれば、スイッチ要素113，116を閉じて電力生成部110のみを動作させる。また、電流値が第１しきい値以上且つ第２しきい値(＞第１しきい値)未満であれば、制御部10は、スイッチ要素113，114，116，117を閉じて２つの電力生成部110，111を動作させる。さらに、電流値が第２しきい値以上であれば、制御部10は、全てのスイッチ要素113〜118を閉じて３つの電力生成部110〜112を全て動作させる。なお、本実施形態では消費電力の計測値を電流の計測値で代用しているが、電流の計測値と電圧の計測値から消費電力を演算し、消費電力をしきい値と比較するようにしても構わない。
【００４２】
而して、給電部11が１つの電力生成部のみで構成された場合、必要十分な給電能力を確保しようとすると、消費電力が相対的に少ないときの電力生成部の効率が低下したり、電力生成部の消費電力が相対的に大きくなって省エネ化が困難になってしまう。これに対して本実施形態では、上述のように住戸機全体の消費電力(消費電流)が増加するに従って、制御部10が同時に動作させる電力生成部110〜112の台数を増やしている。つまり、給電部11の給電能力を住戸機全体の消費電力に見合ったレベルに動的に変更することにより、１つの電力生成部で対応する場合と比較して、必要十分な給電能力を確保しつつ効率の低下や省エネ化を図ることができる。
【００４３】
また、電力生成部111，112は電力生成部110と比較して動作時間が相対的に短くなるので、電力生成部110に比べて寿命が長くなるという利点がある。ただし、住戸機全体の消費電力が増加するに従って動作する電力生成部110〜112の順番を、制御部10が定期的に変更すれば、３つの電力生成部110〜112の寿命を均等に延ばすことができる。
【００４４】
ここで、本実施形態では、各電力生成部110〜112の出力側と入力側にそれぞれスイッチ要素113〜118を接続しているので、各電力生成部110〜112を交流電源６及び電源線LX3から完全に切り離すことができる。そのため、電力生成部110〜112を修理又は交換する際、修理作業や交換作業の安全性が確保し易いという利点がある。
【００４５】
なお、本実施形態では電力生成部110〜112をＡＣ／ＤＣコンバータとしたが、電力生成部110〜112を蓄電池としても構わない。電力生成部110〜112を蓄電池とすれば、交流電源６の停電時にも住戸機２に給電することができる。また、本実施形態では、ロビーインターホン副親機５も給電装置と一体に構成されているので、ロビーインターホン親機１の給電装置が故障したり、給電能力が不足した場合、ロビーインターホン副親機５から給電することができる。さらに、給電装置をロビーインターホン親機１と一体に構成しているので、給電装置の設置スペースが不要になったり、メンテナンス作業の作業性の向上が図れるなどの利点がある。
【００４６】
ここで、住戸機２に電源部を設け、この電源部が交流電源６から供給される交流電力を直流電力に変換して各部20，22〜26に給電しても構わない。ただし、交流電源６が停電した場合、各部20，22〜26に給電する給電元を電源部から受電部21に切り換えることが好ましい。
【００４７】
ところで、本実施形態では、専用線(電源線LX3)を介して給電装置(ロビーインターホン親機１)から各住戸機２に直流電力を給電しているが、制御線LX1又は通信線LX2に伝送される通信信号(制御信号又は音声信号、映像信号)に重畳して直流電力を給電してもよい。このようにすれば電源線LX3が不要となるので、省配線化を図ることができるという利点がある。なお、本実施形態の集合住宅用インターホンシステムでは、センタ給電型の住戸機２と、ローカル給電型の住戸機とを混在させることも可能である。このとき、ローカル給電型の住戸機については、電源線LY3をハイインピーダンス接続とするか、あるいは電源線LY3の接続端子を設けないようにすればよい。
【００４８】
(実施形態２)
本実施形態のシステム構成並びにロビーインターホン親機１、住戸機２、ドアホン子機３、ロビーインターホン副親機５の構成は、何れも実施形態１と共通であるので、共通の構成要素に同一の符号を付して図示並びに説明を省略する。
【００４９】
実施形態１では、制御部10が電源線LX3に流れる電流を計測し、計測値が増加するに従って、同時に動作させる電力生成部110〜112の台数を増やすようにしていた。
【００５０】
これに対して本実施形態は、制御部10が各住戸機２の稼働状態を判断し、稼働している住戸機２の台数が増加するに従って、同時に動作させる電力生成部110〜112の台数を増やす点に特徴がある。なお、本実施形態における住戸機２の稼働状態とは、待機、インターホン通話、ドアホン通話、単独処理(記録した音声及び映像の再生など)の何れかの状態とする。
【００５１】
制御部10は、各住戸機２の識別符号(例えば、住戸番号)に、それぞれの稼働状態にあるか否かを示す４種類のフラグを対応付けたデータベースをメモリに記憶している。なお、各フラグの値は、稼働状態にあるときに「１」、稼働状態にないときに「０」となる。そして、制御部10は、当該データベースを参照して各住戸機２の稼働状態(フラグの値)を判断することにより、同時に動作させるべき電力生成部110〜112の数を決定する。また、制御部10は、後述するように住戸機２から送信される制御信号を受信し、当該制御信号に含まれる制御データに基づいて、データベースの各フラグの値(住戸機２の稼働状態)を更新する。
【００５２】
ここで、図５のシーケンス図を参照して、任意の住戸機２がドアホン通話を開始する際のロビーインターホン親機１、住戸機２、ドアホン子機３の動作を説明する。
【００５３】
まず、ドアホン子機３の呼出釦が操作されると、ドアホン子機３から通信ケーブルLZを介して住戸機２に呼出信号が送信される。呼出信号を受信した住戸機２の住戸機制御部20は、呼出信号の受信を通知するための制御データを生成し、当該制御データを含む制御信号を制御線LY1を介してロビーインターホン親機１へ送信する。
【００５４】
ロビーインターホン親機１の制御部10は、住戸機２から受け取った制御データ基づき、当該住戸機２の住戸番号に対応するドアホン通話のフラグの値を１にするとともに待機のフラグの値を０にすることでデータベースにおける当該住戸機２の稼働状態を更新する。そして、制御部10は、更新後のデータベースを参照し、全住戸番号について、待機を除く３種類のフラグの値の合計値を算出し、その合計値が第１しきい値未満であれば、スイッチ要素113，116を閉じて電力生成部110のみを動作させる。また、合成値が第１しきい値以上且つ第２しきい値(＞第１しきい値)未満であれば、制御部10は、スイッチ要素113，114，116，117を閉じて２つの電力生成部110，111を動作させる。さらに、合計値が第２しきい値以上であれば、制御部10は、全てのスイッチ要素113〜118を閉じて３つの電力生成部110〜112を全て動作させる。
【００５５】
さらに、制御部10は、スイッチ要素113〜118の制御を終えた後、電力生成部110〜112の準備完了を通知するための制御データを生成し、当該制御データを含む制御信号を通信部12から制御線LX1を介して住戸機２に送信する。
【００５６】
前記制御信号を受信した住戸機２では、住戸機制御部20が音声入出力部23のスピーカから呼出音を鳴動させる。そして、呼出音を聞いた住人が応答釦を操作して入力受付部25から操作信号が入力されると、住戸機制御部20は、音声入出力部23から入力する音声データを含む音声信号をドアホン通信部26より送信させてドアホン通話を開始する。
【００５７】
次に、図６のシーケンス図を参照して、任意の住戸機２が録画されたデータファイル(映像及び音声)の再生を開始する際のロビーインターホン親機１、住戸機２、ドアホン子機３の動作を説明する。
【００５８】
まず、入力受付部25が再生開始の操作入力が受け付けて住戸機制御部20に操作信号を出力すると、住戸機制御部20は、再生開始の要求を通知するための制御データを生成し、当該制御データを含む制御信号を制御線LY1を介してロビーインターホン親機１へ送信する。
【００５９】
ロビーインターホン親機１の制御部10は、住戸機２から受け取った制御データ基づき、当該住戸機２の住戸番号に対応する単独処理のフラグの値を１にするとともに待機のフラグの値を０にすることでデータベースにおける当該住戸機２の稼働状態を更新する。そして、制御部10は、更新後のデータベースを参照し、全住戸番号について、待機を除く３種類のフラグの値の合計値を算出し、その合計値が第１しきい値未満であれば、スイッチ要素113，116を閉じて電力生成部110のみを動作させる。また、合成値が第１しきい値以上且つ第２しきい値(＞第１しきい値)未満であれば、制御部10は、スイッチ要素113，114，116，117を閉じて２つの電力生成部110，111を動作させる。さらに、合計値が第２しきい値以上であれば、制御部10は、全てのスイッチ要素113〜118を閉じて３つの電力生成部110〜112を全て動作させる。
【００６０】
さらに、制御部10は、スイッチ要素113〜118の制御を終えた後、電力生成部110〜112の準備完了を通知するための制御データを生成し、当該制御データを含む制御信号を通信部12から制御線LX1を介して住戸機２に送信する。
【００６１】
前記制御信号を受信した住戸機２では、住戸機制御部20がメモリから読み出したデータファイルのデータを伸長して元の音声データ及び映像データを取得する。そして、住戸機制御部20は、取得した音声データを音声入出力部23に出力してスピーカから音声(録音された音声)を鳴動させるとともに、取得した映像データを映像表示部24に出力して映像(録画された映像)を表示デバイスに表示させる(再生を開始する)。
【００６２】
上述のように本実施形態では、各住戸機２の稼働状態から消費電力の増減を推定し、住戸機全体の消費電力が増加するに従って、制御部10が同時に動作させる電力生成部110〜112の台数を増やしている。そのため、実施形態１と同様に給電部11の給電能力を住戸機全体の消費電力に見合ったレベルに動的に変更し、１つの電力生成部で対応する場合と比較して、必要十分な給電能力を確保しつつ効率の低下や省エネ化を図ることができる。
【符号の説明】
【００６３】
１  ロビーインターホン親機(共用玄関機、給電装置)
２  住戸機
10  制御部
110〜112  電力生成部
【図１】
2014138391.tif 000003
【図２】
2014138391.tif 000004
【図３】
2014138391.tif 000005
【図４】
2014138391.tif 000006
【図５】
2014138391.tif 000007
【図６】
2014138391.tif 000008